(57)【特許請求の範囲】
【請求項１】
無窓型鶏舎・畜舎の停電発生時に開ける非常開放扉において、正常時は、鶏舎・畜舎の側壁に設けられた非常用窓を閉鎖している垂直扉の垂直方向の一側を回動自在に支持して設け、該扉の支持側の上部に、扉を開ける方向に付勢された押し出し手段を取付け、該扉の他側の上部に扉が開かないように電磁石の作用により保持されているラッチを設け、停電時に生じる上記電磁石の解放作用によって上記ラッチを外し、押し出し手段によって扉を自動的に開放するようにしたことを特徴とする無窓型鶏舎・畜舎の非常開放扉。
【請求項２】
非常開放扉の支持側の上部に取り付けられる押し出し手段を、閉まった扉を開ける方向に付勢されたドアシリンダによって構成したことを特徴とする請求項１記載の無窓型鶏舎・畜舎の非常開放扉。
【請求項３】
非常開放扉の支持側の上部に取り付けられる押し出し手段を、押し出しアーム又はスプリングによって構成したことを特徴とする請求項１記載の無窓型鶏舎・畜舎の非常開放扉。
【請求項４】
鶏舎・畜舎の側壁に複数個設けられた非常用窓にそれぞれ対応する複数個の非常開放扉を設け、これらの非常開放扉の各ラッチを一本の共通の線状体にそれぞれ取付け、該線状体の一端には重量を有するバランサを取付け、他端には固定された電磁石に吸着された部材を取り付けたことを特徴とする請求項１ないし３の何れか１項記載の無窓型鶏舎・畜舎の非常開放扉。
【発明の詳細な説明】
【０００１】
【発明の属する技術分野】
本発明は、舎内環境の安定化・均一化を計り、又鳴き声、臭等の公害発生を抑えるために機械換気装置を備えた無窓型鶏舎又は畜舎の停電発生時等の非常時の開放扉に関する。
【０００２】
【従来の技術】
従来、上記のように、舎内環境の安定化均一化を計り、又、鳴き声や臭等の公害発生を抑えるために機械換気を備えた無窓型鶏舎又は畜舎が実用化されているが、停電発生時に換気不良となる恐れがある。
【０００３】
これを防ぐために、停電時に自動起動または手動起動する発電機を設置することが行われているが、これら発電機が何らかの原因により運転しない非常事態に備え、このような場合に自動開放する非常開放扉を設けることが安全対策として行われている。
【０００４】
図４は、上記非常開放扉の従来例を示し、同図（ａ）は、非常開放扉ａが上下動できるように垂直方向の両側支柱ｂの案内溝内に嵌合されており、正常時は、扉ａは上方に持ち上げた状態で図示しないラッチ（固定具）によって支持されており、該扉ａの裏側の図示しない非常用の窓を閉じている。そして非常事態が発生したときには、上記ラッチが外れ該扉は、図の下向きの矢印方向に自重により下降して上記図示しない非常用の窓を開けるようになっている。
【０００５】
また同図（ｂ）は、上記図（ａ）の扉ａに相当する扉ｃが非常事態が発生した時には丁番ｄを支点にして矢印方向に回動して、垂直方向に支持された扉ｃの裏側の図示しない非常用窓を開けるようになっている。
【０００６】
【発明が解決すべき課題】
上記した図４に示す従来例においては、
（ｉ）図示の矢印方向に非常開放した場合、非常事態の終結後の非常扉ａ，ｃの閉鎖状態への復旧が大変である。
【０００７】
（ｉｉ）特に図４（ａ）に示すように下方へ落下する形式の場合は、ラッチが扉の重量を支える必要があり、該ラッチの構造が複雑又はコスト高になる可能性があった。
【０００８】
本発明は、簡単な構成により、停電時、複数の扉を一斉に開け、また停電の終結後も容易に元の閉鎖状態へ戻すことができる非常開放扉を提供することを課題としている。
【０００９】
【課題を解決するための手段】
上記課題を解決するために、本発明の採った手段は、無窓型鶏舎・畜舎の停電発生時に開ける非常開放扉において、正常時は、鶏舎・畜舎の側壁に設けられた非常用窓を閉鎖している垂直扉の垂直方向の一側を回動自在に支持して設け、該扉の支持側の上部に、扉を開ける方向に付勢された押し出し手段を取付け、該扉の他側の上部に扉が開かないように電磁石の作用により保持されているラッチを設け、停電時に生じる上記電磁石の解放作用によって上記ラッチを外し、押し出し手段によって扉を自動的に開放するようにしたことを特徴としている。
【００１０】
また、非常開放扉の支持側の上部に取り付けられる押し出し手段を、閉まった扉を開ける方向に付勢されたドアシリンダによって構成したことを特徴としている。
【００１１】
また、非常開放扉の支持側の上部に取り付けられる押し出し手段を、押し出しアーム又はスプリングによって構成したことを特徴としている。
【００１２】
また、鶏舎・畜舎の側壁に複数個設けられた非常用窓にそれぞれ対応する複数個の非常開放扉を設け、これらの非常開放扉の各ラッチを一本の共通の線状体にそれぞれ取付け、該線状体の一端には重量を有するバランサを取付け、他端には固定された電磁石に吸着された部材を取り付けたことを特徴としている。
【００１３】
【発明の実施の形態】
次ぎに、本発明の実施の形態を図面に記載した実施例を用いて説明する。
【００１４】
図１（ａ）は、本発明の無窓型鶏舎・畜舎の非常開放扉装置の扉が閉じた状態の説明用斜視図であり、同図（ｂ）は扉が開いた状態の説明用斜視図である。
【００１５】
図１（ａ）において、扉１は鶏舎・畜舎の側壁に設けられた非常用窓を閉鎖した状態を示している。該扉１は一側（図右側端）を丁番等により回動自在に取り付けられており、該一側の上部には、扉を開ける方向に付勢されたドアシリンダ２が取り付けられており、また他側（図で左側）の上部にはラッチ（固定金具）３が取り付けられている。該ラッチ３は、壁側に取り付けられた断面ほぼｂ形の部材３ａが左右両側に２個設けられ、該２個の壁側の部材３ａの間に挿入する１個の断面ほぼｄ形の部材３ｂが扉側に取り付けられ、扉閉鎖時これら三つの部材３ａ、３ｂ、３ａを貫通する断面角形のキー部材３ｃとから構成されている。該ラッチ３のキー部材３ｃは、線状部材４を介して、図示しない並設された複数の扉に共通の一本の線状体５に取り付けられている。
【００１６】
該線状体５の一端（図で左側端）には一定の重量を有するバランサ６が取り付けられており、他端（図で右側）には、開放ユニットの一部材（輪状体５ａ）が取り付けられている。
【００１７】
上記開放ユニットは、固定された部材７に電磁石８が固定されており、該電磁石８は上記一本の線状体５の他端に取り付けられた輪状体５ａ内に嵌入する部材９ａを、下端を枢着された吸着部材９を介して電磁力により吸着している。
【００１８】
図２は、鶏舎全体の立面図で外壁は多数のパネルを並設して構成されており、該外壁の下方の３箇所に下部非常窓１０が設けられている。
【００１９】
図３は、図２とは別の鶏舎全体の平面図で隔壁を挟んでそれぞれ長手方向に２列ずつのケージユニットが並設された鶏舎が２列並設されており、両鶏舎の側壁に７個ずつ、非常窓１１が設けられている。
【００２０】
次ぎに、作用について説明すると、正常時には、図１（ａ）に示すように、一端に錘の作用をするバランサ６を取付け、中間部で各扉１の開閉する側の上部に取り付けられたラッチ（正常時は扉を閉じておくための固定装置）３と線状部材４を介して連結され、他端に電磁石８に吸着されている部材９ａが嵌入する輪状体５ａを取り付けた一本の共通線状体５は、一端の錘と他端の電磁石８の電磁力と釣り合って扉１は閉じ、非常用窓図２の１０及び図３の１１を閉じている。
【００２１】
次いで、停電発生時、図１（ａ）の開放ユニットの電磁石８への電流が遮断されるので、該電磁石８に吸着されていた部材９ａが図（ｂ）に示されるように電磁石から離れるので、輪状体５ａも離れ、一本の線状体５は重り６からなるバランサの下方への動きに従って図で左向きに引っ張られ、それにつれて線状部材４を介して各非常扉１に取り付けられたラッチ３のキー部材３ｃを該扉１から取り外す。それにつれて該扉１の他端上部に取り付けられたドアシリンダ２が作動して該扉１を自動的に開放し、図２の非常窓１０又は図３の非常用窓１１を開放し外気を鶏舎内に導入して鶏の窒息を防ぐことができる。
【００２２】
また、停電の終結後も扉１をドアシリンダの力に抗して閉じ、離れているラッチ３のキー部材３ｃを元の位置に戻して扉１の閉鎖状態を保持するようにすればよい。
【００２３】
なお、上記した実施例において、非常扉１をドアシリンダ２によって強制的に開ける構造について説明したが、ドアシリンダ２の代りに押し出し手段として押し出しアームやスプリングの弾性伸長作用を利用するものに代えることも可能である。
【００２４】
【発明の効果】
以上説明したように、本発明によれば、無窓型鶏舎・畜舎の停電発生時に開ける非常開放扉において、正常時は、鶏舎・畜舎の側壁に設けられた非常用窓を閉鎖している垂直扉の垂直方向の一側を回動自在に支持して設け、該扉の支持側の上部に、扉を開ける方向に付勢された押し出し手段を取付け、該扉の他側の上部に扉が開かないように電磁石の作用により保持されているラッチを設け、停電時に生じる上記電磁石の解放作用によって上記ラッチを外し、押し出し手段によって扉を自動的に開放するようにしたことにより、無窓型鶏舎・畜舎の停電発生時に、鶏舎・畜舎の側壁に設けられた非常扉を簡単な構成により自動的に容易に開放することができ、また停電の終結後も容易に元の閉鎖状態へ戻すことができる。
【００２５】
また、鶏舎・畜舎の側壁に複数個設けられた非常用窓にそれぞれ対応する複数個の非常開放扉を設け、これらの非常開放扉の各ラッチを一本の共通の線状体にそれぞれ取付け、該線状体の一端には重量を有するバランサを取付け、他端には固定された電磁石に吸着された部材を取り付けたことにより、鶏舎・畜舎の複数箇所に設けられている非常窓を共通の一本の線状体の作用によって一斉に開くことができ、また、コスト削減にもなる。
【図面の簡単な説明】
【図１】図１（ａ）は本発明の無窓型鶏舎・畜舎の非常開放扉が閉じた状態を示す説明用斜視図、同図（ｂ）は非常開放扉が開いた状態を示す説明用斜視図である。
【図２】図２は、外壁の下方の３箇所に下部非常窓が設けられた鶏舎全体の立面図である。
【図３】図３は、外壁に７個の非常窓が設けられた鶏舎全体の平面図である。
【図４】図４（ａ）（ｂ）は従来の異なった非常開放扉を示す要部説明図である。
【符号の説明】
１  非常扉
２  ドアシリンダ
３  ラッチ
３ａ  断面ほぼｂ形の部材
３ｂ  断面ほぼｄ形の部材
３ｃ  断面角形のキー部材
４  線状部材
５  共通の一本の線状体
５ａ  輪状体
６  重りを有するバランサ
７  固定部材
８  電磁石
９  電磁石に吸着される部材
９ａ  輪状体５ａ内に嵌入する部材
１０  非常窓
１１  非常窓
【図１】
0003626911.tif 000002
【図２】
0003626911.tif 000003
【図３】
0003626911.tif 000004
【図４】
0003626911.tif 000005